(57)【要約】      （修正有）【課題】像担持体ベルトが伸縮した場合であっても良好に画像を形成する画像形成装置及び画像形成方法を提供する。【解決手段】トナー及びキャリアー液を含む液体現像剤で現像された像を担持する像担持体ベルト４０と、像担持体ベルト４０を巻き掛ける第１のローラー４１と、張力を付与する第１テンションローラー８１と、像担持体ベルト４０を巻き掛ける第２のローラー４３と、周面に凹部６３を有し、凹部６３と異なる周面が像担持体ベルトを介して前第２のローラー４３と当接し、像担持体ベルト４０に担持された像を転写材に転写する転写ローラー６１と、第２のローラー４３に巻き掛けられた像担持体ベルト４０を巻き掛ける第２テンションローラー８２と、第１テンションローラー８１の位置を検知する検知部９０と、検知部９０で検知された情報に基づいて第２テンションローラー８２の位置を調整する制御部と、を有する。【選択図】図１
2012133189.tif 000002
【特許請求の範囲】
【請求項１】
トナー及びキャリアー液を含む液体現像剤で現像された像を担持する像担持体ベルトと、
前記像担持体ベルトを巻き掛ける第１のローラーと、
前記第１のローラーに巻き掛けられた前記像担持体ベルトを巻き掛けるとともに張力を付与する第１テンションローラーと、
前記第１テンションローラーに巻き掛けられた前記像担持体ベルトを巻き掛ける第２のローラーと、
周面に凹部を有し、前記凹部と異なる周面が前記像担持体ベルトを介して前記第２のローラーと当接し、前記像担持体ベルトに担持された前記像を転写材に転写する転写ローラーと、
前記第２のローラーに巻き掛けられた前記像担持体ベルトを巻き掛ける第２テンションローラーと、
前記第１テンションローラーの位置を検知する検知部と、
前記検知部で検知された情報に基づいて前記第２テンションローラーの位置を調整する制御部と、
を有することを特徴とする画像形成装置。
【請求項２】
前記第１のローラーを駆動させる第１ローラー駆動部を有する請求項１に記載の画像形成装置。
【請求項３】
前記制御部は、回転するときに回転角度が調整されて、前記第１テンションローラーの位置を調整するカム輪を有する請求項１又は請求項２に記載の画像形成装置。
【請求項４】
前記検知部は、フォトセンサーである請求項１乃至請求項３のいずれか１つに記載の画像形成装置。
【請求項５】
トナー及びキャリアー液を含む液体現像剤で現像された像を担持する像担持体ベルトと、
前記像担持体ベルトを巻き掛ける第１のローラーと、
前記第１のローラーに巻き掛けられた前記像担持体ベルトを巻き掛けるとともに、前記像担持体ベルトに張力を付与する第１テンションローラーと、
前記第１テンションローラーに巻き掛けられた前記像担持体ベルトを巻き掛ける第２のローラーと、
周面に凹部を有し、前記凹部と異なる周面が前記像担持体ベルトを介して前記第２のローラーと当接し、前記像担持体ベルトに担持された前記像を転写材に転写する転写ローラーと、
前記第２のローラーに巻き掛けられた前記像担持体ベルトを巻き掛けるとともに、前記像担持体ベルトに張力を付与する第２テンションローラーと、
前記第２テンションローラーの位置を検知する検知部と、
前記検知部で検知された情報に基づいて前記第１テンションローラーの位置を調整する制御部と、
を有することを特徴とする画像形成装置。
【請求項６】
トナー及びキャリアー液を含む液体現像剤で現像された像を担持する像担持体ベルトを第１のローラーで巻き掛け、
前記第１のローラーに巻き掛けられた前記像担持体ベルトを第１テンションローラーで巻き掛けて前記像担持体ベルトに張力を付与するとともに、前記第１テンションローラーの位置を検知し、
前記第１テンションローラーに巻き掛けられた前記像担持体ベルトを、前記像担持体ベルトを介して転写ローラーと当接する第２のローラーに巻き掛け、
前記第２のローラーに巻き掛けられた前記像担持体ベルトを第２テンションローラーで巻き掛けて前記像担持体ベルトに巻き掛けるとともに、検知された前記第１テンションローラーの位置の情報に基づいて前記第２テンションローラーの位置を調整することを特徴とする画像形成方法。
【発明の詳細な説明】
【技術分野】
【０００１】
本発明は、トナーとキャリアー液とを含む液体現像剤で形成された像を担持する像担持体ベルトに対して記録紙等の転写材をローラーにより圧接させて、像担持体ベルトに担持される像を転写材に転写する画像形成装置及び画像形成方法に関する。
【背景技術】
【０００２】
従来、トナーとキャリアー液とを含む液体現像剤を用いる画像形成装置として、回転可能な像担持体ベルト上に画像形成ステーションで形成された液体現像剤のトナー像を一次転写部で一次転写するとともに、この像担持体ベルト上に担持されたトナー像を二次転写部の二次転写ニップで転写材に転写する画像形成装置が多々知られている（例えば、特許文献１参照）。特許文献１に記載の画像形成装置では、二次転写ニップより像担持体ベルトの回転方向手前側と二次転写ニップより像担持体ベルトの回転方向側とにそれぞれ像担持体ベルトのテンションを調整するテンションローラーが設けられる。これらのテンションローラーにより、二次転写部での振動が吸収緩和されて一次転写部に伝達されるのが抑制されるとともに、転写材が二次転写ニップ内に送り込まれるときに生じる衝撃が吸収緩和される。
【先行技術文献】
【特許文献】
【０００３】
【特許文献１】特開平１０−２６８５９５号公報
【発明の概要】
【発明が解決しようとする課題】
【０００４】
ところで、像担持体ベルトを用いた画像形成装置では、装置内や装置周辺の温度や湿度等の雰囲気が変化すると、ベルトの線膨張等の材料の性質によって、像担持体ベルトが伸縮する場合がある。像担持体ベルトが伸縮してもテンションローラーが像担持体ベルトにテンションを与えることによって像担持体ベルトの回転は保持できる。
【０００５】
しかしながら、テンションローラーが位置を変えると、像担持体ベルトの回転軌道が変化して、像担持体ベルト全体のテンションが変化してしまう。したがって、各ローラーの巻き掛けテンションが変化する。特に、像担持体ベルトを駆動する駆動ローラーの巻き掛けテンションが変化すると、像担持体ベルトの駆動が不安定となり、画像が伸縮したり、ずれてしまうおそれがあった。
【０００６】
本発明は、このような事情を鑑みてなされてものであり、像担持体ベルトが伸縮した場合であっても、良好に画像を形成する画像形成装置及び画像形成方法を提供することを目的とする。
【課題を解決するための手段】
【０００７】
本発明の画像形成装置は、トナー及びキャリアー液を含む液体現像剤で現像された像を担持する像担持体ベルトと、前記像担持体ベルトを巻き掛ける第１のローラーと、前記第１のローラーに巻き掛けられた前記像担持体ベルトを巻き掛けるとともに張力を付与する第１テンションローラーと、前記第１テンションローラーに巻き掛けられた前記像担持体ベルトを巻き掛ける第２のローラーと、周面に凹部を有し、前記凹部と異なる周面が前記像担持体ベルトを介して前記第２のローラーと当接し、前記像担持体ベルトに担持された前記像を転写材に転写する転写ローラーと、前記第２のローラーに巻き掛けられた前記像担持体ベルトを巻き掛ける第２テンションローラーと、前記第１テンションローラーの位置を検知する検知部と、前記検知部で検知された情報に基づいて前記第２テンションローラーの位置を調整する制御部と、を有することを特徴とする。
【０００８】
また、前記第１のローラーを駆動させる第１ローラー駆動部を有する。
【０００９】
また、前記制御部は、回転するときに回転角度が調整されて、前記第１テンションローラーの位置を調整するカム輪を有する。
【００１０】
また、前記検知部は、フォトセンサーである。
【００１１】
また、トナー及びキャリアー液を含む液体現像剤で現像された像を担持する像担持体ベルトと、前記像担持体ベルトを巻き掛ける第１のローラーと、前記第１のローラーに巻き掛けられた前記像担持体ベルトを巻き掛けるとともに、前記像担持体ベルトに張力を付与する第１テンションローラーと、前記第１テンションローラーに巻き掛けられた前記像担持体ベルトを巻き掛ける第２のローラーと、周面に凹部を有し、前記凹部と異なる周面が前記像担持体ベルトを介して前記第２のローラーと当接し、前記像担持体ベルトに担持された前記像を転写材に転写する転写ローラーと、前記第２のローラーに巻き掛けられた前記像担持体ベルトを巻き掛けるとともに、前記像担持体ベルトに張力を付与する第２テンションローラーと、前記第２テンションローラーの位置を検知する検知部と、前記検知部で検知された情報に基づいて前記第１テンションローラーの位置を調整する制御部と、を有することを特徴とする。
【００１２】
さらに、本発明の画像形成方法は、トナー及びキャリアー液を含む液体現像剤で現像された像を担持する像担持体ベルトを第１のローラーで巻き掛け、前記第１のローラーに巻き掛けられた前記像担持体ベルトを第１テンションローラーで巻き掛けて前記像担持体ベルトに張力を付与するとともに、前記第１テンションローラーの位置を検知し、前記第１テンションローラーに巻き掛けられた前記像担持体ベルトを、前記像担持体ベルトを介して転写ローラーと当接する第２のローラーに巻き掛け、前記第２のローラーに巻き掛けられた前記像担持体ベルトを第２テンションローラーで巻き掛けて前記像担持体ベルトに巻き掛けるとともに、検知された前記第１テンションローラーの位置の情報に基づいて前記第２テンションローラーの位置を調整することを特徴とする。
【００１３】
本発明によれば、像担持体ベルトが伸縮した場合であっても、前記第１テンションローラーの位置の情報に基づいて前記第２テンションローラーの位置を調整、又は、前記第２テンションローラーの位置の情報に基づいて前記第１テンションローラーの位置を調整することにより、像担持体ベルトのテンションを調整でき、良好に画像を形成することが可能となる。
【図面の簡単な説明】
【００１４】
【図１】本発明の第１実施形態に係る画像形成装置を構成する主要構成要素を示した図である。
【図２】中間転写ベルトが伸張した状態での第２テンションローラーを示す図である。
【図３】カム輪が回転した状態での第２テンションローラーを示す図である。
【図４】中間転写ベルトが収縮した状態での第２テンションローラーを示す図である。
【図５】カム輪が回転した状態での第２テンションローラーを示す図である。
【図６】本発明の第２実施形態に係る画像形成装置を構成する主要構成要素を示した図である。
【図７】中間転写ベルトが伸張した状態での第１テンションローラーを示す図である。
【図８】カム輪が回転した状態での第１テンションローラーを示す図である。
【図９】中間転写ベルトが収縮した状態での第１テンションローラーを示す図である。
【図１０】カム輪が回転した状態での第１テンションローラーを示す図である。
【図１１】凹部及び把持部材を有しない二次転写ローラーを用いた他の実施形態の画像形成装置を示す図である。
【図１２】テンションローラー位置調整制御システムのブロック図である。
【図１３】テンションローラー位置センサーを示す図である。
【図１４】テンションローラーの位置に対するテンションローラー位置センサーの出力電圧を示す図である。
【図１５】第１実施形態における第１テンションローラー又は第２実施形態における第２テンションローラーの位置調整制御のフローチャートである。
【発明を実施するための形態】
【００１５】
以下、本発明の実施の形態を、図面を参照しつつ説明する。
【００１６】
図１は、本発明の第１実施形態に係る画像形成装置１を構成する主要構成要素を示した図である。画像形成装置１は、主に画像形成ステーション２Ｙ，２Ｍ，２Ｃ，２Ｋと転写装置３とを有する。
【００１７】
図１に示すように、この例の画像形成装置１は、水平またはほぼ水平にタンデムに配置されたイエロー（Ｙ）、マゼンタ（Ｍ）、シアン（Ｃ）およびブラック（Ｋ）の画像形成ステーション２Ｙ，２Ｍ，２Ｃ，２Ｋを備えている。各画像形成ステーション２Ｙ，２Ｍ，２Ｃ，２Ｋは、像担持体としての感光体１０Ｙ，１０Ｍ，１０Ｃ，１０Ｋを備えている。これらの感光体１０Ｙ，１０Ｍ，１０Ｃ，１０Ｋには、それぞれ、対応する色Ｙ，Ｍ，Ｃ，Ｋの静電潜像が形成されて担持される。各感光体１０Ｙ，１０Ｍ，１０Ｃ，１０Ｋは、それぞれ、図示しない駆動部により駆動されて図１において矢印方向（図１において時計回り）に回転する。ここで、各感光体１０Ｙ，１０Ｍ，１０Ｃ，１０Ｋにおいて、１０Ｙはイエローの感光体、１０Ｍはマゼンタの感光体、１０Ｃはシアンの感光体、１０Ｋはブラックの感光体を表す。また、他の部材についても同じように、部材の符号にそれぞれ各色のＹ，Ｍ，Ｃ，Ｋを添えて各色の部材を表す。
【００１８】
感光体１０Ｙ，１０Ｍ，１０Ｃ，１０Ｋの周辺は、感光体１０Ｙ，１０Ｍ，１０Ｃ，１０Ｋの外周の回転方向に沿って、帯電部としてのコロナ帯電器１１Ｙ，１１Ｍ，１１Ｃ，１１Ｋを基準として、ラインヘッドなどの露光部１２Ｙ，１２Ｍ，１２Ｃ，１２Ｋ、現像部３０Ｙ，３０Ｍ，３０Ｃ，３０Ｋの現像剤担持体としての現像ローラー２０Ｙ，２０Ｍ，２０Ｃ，２０Ｋ、第１感光体スクイーズローラー１３Ｙ，１３Ｍ，１３Ｃ，１３Ｋ、第２感光体スクイーズローラー１５Ｙ，１５Ｍ，１５Ｃ，１５Ｋ、一次転写部５０Ｙ，５０Ｍ，５０Ｃ，５０Ｋ、除電部としての除電ランプ１７Ｙ，１７Ｍ，１７Ｃ，１７Ｋ及び感光体クリーニングブレード１８Ｙ，１８Ｍ，１８Ｃ，１８Ｋが配置されている。なお、画像形成プロセスにおいては、コロナ帯電器１１Ｙ，１１Ｍ，１１Ｃ，１１Ｋから感光体クリーニングブレード１８Ｙ，１８Ｍ，１８Ｃ，１８Ｋの順に、より前段に配置される構成は、後段に配置される構成より上流にあるものと定義する。
【００１９】
まず、コロナ帯電器１１Ｙ，１１Ｍ，１１Ｃ，１１Ｋにより、感光体１０Ｙ，１０Ｍ，１０Ｃ，１０Ｋを一様に帯電させ、露光部１２Ｙ，１２Ｍ，１２Ｃ，１２Ｋにより、入力された画像信号に基づいて露光を行い、帯電された感光体１０Ｙ，１０Ｍ，１０Ｃ，１０Ｋ上に静電潜像を形成する。
【００２０】
現像部３０Ｙ，３０Ｍ，３０Ｃ，３０Ｋは、イエロー（Ｙ）、マゼンタ（Ｍ）、シアン（Ｃ）、ブラック（Ｋ）からなる各色の液体現像剤を貯蔵する現像剤容器（リザーバ）３１Ｙ，３１Ｍ，３１Ｃ，３１Ｋ、各色の液体現像剤を現像剤容器３１Ｙ，３１Ｍ，３１Ｃ，３１Ｋ内で攪拌する攪拌ローラー３２Ｙ，３２Ｍ，３２Ｃ，３２Ｋ、各色の液体現像剤を現像剤容器３１Ｙ，３１Ｍ，３１Ｃ，３１Ｋから現像ローラー２０Ｙ，２０Ｍ，２０Ｃ，２０Ｋへ供給する現像剤供給部材としての供給ローラー３３Ｙ，３３Ｍ，３３Ｃ，３３Ｋ及び中間ローラー３４Ｙ，３４Ｍ，３４Ｃ，３４Ｋ、中間ローラー３４Ｙ，３４Ｍ，３４Ｃ，３４Ｋの液体現像剤をクリーニングする中間ローラークリーニング部材３５Ｙ，３５Ｍ，３５Ｃ，３５Ｋを有し、各色の液体現像剤により感光体１０Ｙ，１０Ｍ，１０Ｃ，１０Ｋ上に形成された静電潜像を現像する。
【００２１】
なお、現像ローラー２０Ｙ，２０Ｍ，２０Ｃ，２０Ｋは、周囲に、中間ローラー３４Ｙ，３４Ｍ，３４Ｃ，３４Ｋにより供給されて、現像ローラー２０Ｙ，２０Ｍ，２０Ｃ，２０Ｋに担持された液体現像剤をコンパクション状態にするコンパクションコロナ発生器２２Ｙ，２２Ｍ，２２Ｃ，２２Ｋと、感光体１０Ｙ，１０Ｍ，１０Ｃ，１０Ｋを現像した後、現像ローラー２０Ｙ，２０Ｍ，２０Ｃ，２０Ｋのクリーニングを行う現像ローラークリーニングブレード２１Ｙ，２１Ｍ，２１Ｃ，２１Ｋを有する。
【００２２】
各色の液体現像剤により感光体１０Ｙ，１０Ｍ，１０Ｃ，１０Ｋ上に形成された現像は、第１感光体スクイーズローラー１３Ｙ，１３Ｍ，１３Ｃ，１３Ｋ、及び第２感光体スクイーズローラー１５Ｙ，１５Ｍ，１５Ｃ，１５Ｋによってキャリアー液の一部をスクイーズされる。なお、第１感光体スクイーズローラー１３Ｙ，１３Ｍ，１３Ｃ，１３Ｋの周囲には、スクイーズしたキャリアー液をクリーニングする第１感光体スクイーズローラークリーニング部材１４Ｙ，１４Ｍ，１４Ｃ，１４Ｋ、が配設され、第２感光体スクイーズローラー１５Ｙ，１５Ｍ，１５Ｃ，１５Ｋの周囲には、スクイーズしたキャリアー液をクリーニングする第２感光体スクイーズローラークリーニング部材１６Ｙ，１６Ｍ，１６Ｃ，１６Ｋが配設される。
【００２３】
像担持体ベルトとしての中間転写ベルト４０は、シームレスなゴム等の弾性部材で形成されたベルトである。中間転写ベルト４０は、中間転写ベルト４０を巻き掛けて、中間転写ベルト４０を移動させる第１のローラーとしてのベルト駆動ローラー４１と、ベルト駆動ローラー４１に巻き掛けられた中間転写ベルト４０を巻き掛けるとともに、中間転写ベルト４０に張力を付与する第１テンションローラー８１と、第１テンションローラー８１に巻き掛けられた中間転写ベルト４０を巻き掛ける第２のローラーとしてのバックアップローラー４３と、バックアップローラー４３に巻き掛けられた中間転写ベルト４０を巻き掛けるとともに、中間転写ベルト４０に張力を付与する第２テンションローラー８２と、第２テンションローラー８２に巻き掛けられた中間転写ベルト４０を巻き掛ける張架ローラー４２と、に張架される。ベルト駆動ローラー４１は、図示しない第１ローラー駆動部としてのベルト駆動ローラー駆動部により駆動される。
【００２４】
中間転写ベルト４０は、一次転写部５０Ｙ、５０Ｍ、５０Ｃ、５０Ｋで感光体１０Ｙ、１０Ｍ、１０Ｃ、１０Ｋと当接しながらベルト駆動ローラー４１により回転駆動される。一次転写部５０Ｙ、５０Ｍ、５０Ｃ、５０Ｋは、中間転写ベルト４０を挟んで感光体１０Ｙ、１０Ｍ、１０Ｃ、１０Ｋと一次転写ローラー５１Ｙ、５１Ｍ、５１Ｃ、５１Ｋが対向して配置され、感光体１０Ｙ、１０Ｍ、１０Ｃ、１０Ｋと当接する位置を転写位置として、現像された感光体１０Ｙ、１０Ｍ、１０Ｃ、１０Ｋ上の各色のトナー像を中間転写ベルト４０上に順次重ねて転写し、フルカラーのトナー像を形成する。
【００２５】
中間転写ベルト４０の張架ローラー４２に張架されている箇所で、像担持体ベルトクリーニング部材としての転写ベルトクリーニングブレード４９が当接され、中間転写ベルト４０の残りトナー及びキャリアー液をクリーニングするようになっている。
【００２６】
なお、中間転写ベルト４０に一次転写した後に感光体１０Ｙ、１０Ｍ、１０Ｃ、１０Ｋに残った液体現像剤は、像担持体クリーニング部材としての除電部１７Ｙ、１７Ｍ、１７Ｃ、１７Ｋで除電されて、像担持体クリーニング部材としての感光体クリーニングブレード１８Ｙ、１８Ｍ、１８Ｃ、１８Ｋでクリーニングされる。
【００２７】
二次転写部６０では、図示しない転写ローラー駆動部により矢印で示す方向に回転するとともに転写バイアスが印加される転写ローラーとしての二次転写ローラー６１が、中間転写ベルト４０を介してバックアップローラー４３と当接して転写ニップを形成し、中間転写ベルト４０のトナー像を転写材搬送経路Ｌにて搬送される用紙、フィルム、布等の転写材に転写する。また、二次転写ローラー６１は、周面に形成された凹部６３と、凹部６３内に回動可能に配設されて二次転写時に転写材の先端を把持する把持部材６４とを有する。したがって、二次転写ローラー６１は、凹部６３と異なる周面が中間転写ベルト４０を介してバックアップローラー４３と当接する。
【００２８】
把持部材６４は、回動軸６４ａを中心に回動可能であり、突き当て部６４ｂに転写材を突き当てた状態で回動して、二次転写ローラー６１の把持部材支持部６１ａと共に転写材を把持する。把持部材６４を有することにより、転写材が中間転写ベルト４０に貼り付くことを低減することが可能となる。
【００２９】
さらに、二次転写部６０は、二次転写ローラー６１をクリーニングする転写ローラークリーニングブレード６９等を有する。転写ローラークリーニングブレード６９を有することにより、転写材の裏面の汚れを低減することが可能となる。
【００３０】
転写材搬送経路Ｌの二次転写部６０の下流には、図示しない転写材搬送部が配列されて、転写材を図示しない定着ユニットに搬送するようになっている。定着ユニットでは、図示しない加熱ローラーと、この加熱ローラー側に所定の圧力で付勢された図示しない加圧ローラーとのニップ間に転写材を挿通させることにより、用紙等の転写材上に転写された単色のトナー像やフルカラーのトナー像を用紙等の転写材に融着させ定着させる。
【００３１】
画像形成装置に対する転写材の供給は、図示しない給紙装置によって行われる。このような給紙装置にセットされた転写材は、所定のタイミングにて一枚ごとに転写材搬送経路Ｌに送り出されるようになっている。転写材搬送経路Ｌでは、転写材送出部としてのゲートローラー７１、７１’によって転写材を二次転写位置まで搬送し、中間転写ベルト４０上に形成された単色のトナー像やフルカラーのトナー像を転写材に転写する。
【００３２】
現像剤容器３１Ｙ、３１Ｍ、３１Ｃ、３１Ｋに収容されている液体現像剤は、従来一般的に使用されているＩｓｏｐａｒ（商標：エクソン）をキャリアー液とした低濃度（１〜３ｗｔ％程度）かつ低粘度の、常温で揮発性を有する揮発性液体現像剤ではなく、高濃度かつ高粘度の、常温で不揮発性を有する不揮発性液体現像剤である。すなわち、本発明における液体現像剤は、熱可塑性樹脂中へ顔料等の着色剤を分散させた平均粒径１μｍの固形子を、有機溶媒、シリコンオイル、鉱物油又は食用油等の液体溶媒中へ分散剤とともに添加し、トナー固形分濃度を約１５〜２５％とした高粘度（ＨＡＡＫＥ  ＲｈｅｏＳｔｒｅｓｓ  ＲＳ６００を用いて、２５℃の時のせん断速度が１０００（１／ｓ）のときの粘弾性が３０〜３００ｍＰａ・ｓ程度）の液体現像剤である。
【００３３】
なお、各色Ｙ、Ｍ、Ｃ、Ｋに対応する画像形成ステーション２Ｙ，２Ｍ，２Ｃ，２Ｋの配置順は、図１に示す例に限定されることはなく、任意に設定することができる。
【００３４】
次に、第１実施形態の転写装置３の構成を詳細に説明する。
【００３５】
図１に示すように、転写装置３は、一次転写部５０と二次転写部６０とを有する。中間転写ベルト４０は、一次転写部５０で感光体１０Ｙ、１０Ｍ、１０Ｃ、１０Ｋから画像を転写され、二次転写部６０で転写材に画像を転写する。
【００３６】
中間転写ベルト４０は、ベルト駆動ローラー４１、張架ローラー４２、バックアップローラー４３、第１テンションローラー８１、及び第２テンションローラー８２に張架される。
【００３７】
第１テンションローラー８１は、中間転写ベルト４０の所定位置が一回転する間において、ベルト駆動ローラー４１を通り過ぎ、バックアップローラー４３に進入する前に配設される。すなわち、第１テンションローラー８１は、二次転写ニップ部６０ａより中間転写ベルト４０の移動方向手前側に配設される。
【００３８】
また、第２テンションローラー８２は、中間転写ベルト４０の所定位置が一回転する間において、バックアップローラー４３を通り過ぎ、張架ローラー４２に進入する前に配設される。すなわち、第２テンションローラー８２は、二次転写ニップ部６０ａより中間転写ベルト４０の移動方向側に配設される。
【００３９】
第１テンションローラー８１は、第１テンションローラー回転軸８１ａを中心に回転可能に設けられる。第１テンションローラー回転軸８１ａは、第１テンションローラー支持部材としての第１テンションローラー支持レバー８３に支持されている。第１テンションローラー支持レバー８３は、第１レバー支持軸８３ａによって、図示しないフレームやケース等に回転可能に支持されている。また、第１テンションローラー支持レバー８３は、第１レバー支持軸８３ａに対して第１テンションローラー回転軸８１ａとは反対側に第１スプリング取付部８３ｂを有する。第１スプリング取付部８３ｂには、第１スプリング８４の一方が取り付けられており、第１スプリング８４の他方は、図示しないフレームやケース等に支持されている。
【００４０】
第２テンションローラー８２は、第２テンションローラー回転軸８２ａを中心に回転可能に設けられる。第２テンションローラー回転軸８２ａは、第２テンションローラー支持部材としての第２テンションローラー支持レバー８５に支持されている。第２テンションローラー支持レバー８５は、第２レバー支持軸８５ａによって、図示しないフレームやケース等に回転可能に支持されている。また、第２テンションローラー支持レバー８５は、第２レバー支持軸８５ａに対して第２テンションローラー回転軸８５ａとは反対側に第２スプリング取付部８５ｂを有する。第２スプリング取付部８５ｂには、第２スプリング８６の一方が取り付けられている。
【００４１】
カムレバー８７は、カムレバー支持軸８７ａによって、図示しないフレームやケース等に回転可能に支持されている。第２スプリング８６の他方はカムレバー８７の一方に設けられた第３スプリング取付部８７ｂに取り付けられている。カムレバー８７の他方、すなわち、カムレバー支持軸８７ａに対して第３スプリング取付部８７ｂの反対側は、カム輪当接部８７ｃとなっている。カム輪当接部８７ｃは、カム輪８８の外周に当接する。カム輪８８は、中心から偏心した位置にカム輪回転軸８８ａを有し、図示しないカム駆動部により回転可能となっている。
【００４２】
なお、第２テンションローラー支持レバー８５、第２スプリング８６、カムレバー８７及びカム輪８８は、テンションローラー位置調整部を構成する。また、テンションローラー位置調整部としてカム輪８８で直接第２テンションローラー８２を調整してもよい。カム輪８８を用いることで、簡単で低コストにテンションローラー位置調整部を構成することが可能となる。
【００４３】
また、第１実施形態では、第１テンションローラー８１の位置を検知する検知部としてのテンションローラー位置センサー９０を有する。
【００４４】
次に、第２テンションローラー８２の移動について説明する。
【００４５】
まず、中間転写ベルト４０が伸張した場合について説明する。
【００４６】
図２は中間転写ベルト４０が伸張した状態での第２テンションローラー８２を示す図、図３はカム輪８８が回転した状態での第２テンションローラー８２を示す図である。なお、図２中、破線は中間転写ベルト４０が伸張する前の状態、実線は中間転写ベルト４０が伸張した後の状態を示す。また、図３中、破線は中間転写ベルト４０が伸張する前の状態、二点鎖線は第２テンションローラー８２を制御する前の図２の実線と同じ状態、実線は第２テンションローラー８２を制御した後の状態を示す。
【００４７】
例えば、装置内の温度が高くなり、中間転写ベルト４０が伸張した場合、図２に示すように、第１テンションローラー８１及び第２テンションローラー８２は、軌道が外側に延びる中間転写ベルト４０に追随して移動する。
【００４８】
中間転写ベルト４０が伸張し、第１テンションローラー８１及び第２テンションローラー８２の位置が、図２に示すように、中間転写ベルト４０の軌道の外側方向に移動すると、中間転写ベルト４０の回転軌道が変化して、中間転写ベルト４０全体のテンションが変化してしまう。したがって、各ローラーの巻き掛けテンションが変化する。特に、中間転写ベルト４０を駆動するベルト駆動ローラー４１の巻き掛けテンションが変化すると、中間転写ベルト４０の駆動が不安定となり、画像が伸縮したり、ずれてしまうおそれがある。
【００４９】
そこで、第１実施形態では、図３に示すように、カム輪８８を所定角度回転させて、第２テンションローラー８２を、中間転写ベルト４０の軌道のさらに外側方向に移動させる。
【００５０】
すなわち、図２に示す状態から、カム輪回転軸８８ａを中心にカム輪８８を回転させると、図３に示すように、カムレバー８７がカムレバー支持軸８７ａを中心に回転し、第３スプリング取付部８７ｂが移動する。そして、第３スプリング取付部８７ｂが移動することで、第２スプリング８６及び第２スプリング取付部８７ｂが移動する。第２スプリング取付部８７ｂが移動すると、第２テンションローラー支持レバー８５が第２レバー支持軸８５ａを中心に回転して、第２テンションローラー回転軸８２ａ及び第２テンションローラー８２が移動する。
【００５１】
その結果、各ローラーの巻き掛けテンションが一定となり、中間転写ベルト４０の駆動が安定し、良好な画像を形成することが可能となる。
【００５２】
また、図２の状態では、ブラックの一次転写部５０Ｋから二次転写部６０まで、具体的にはブラックの一次転写ニップから二次転写ニップ部６０ａまでの中間転写ベルト４０の軌道距離が延びて移動時間が長くなってしまう。そして、移動時間が長くなると、中間転写ベルト４０に担持される画像が二次転写ニップ部６０ａに進入するタイミングと、当初設定されていた転写材の給紙タイミングとにずれが生じて、転写材に対する画像の見当あわせがずれてしまうおそれがある。
【００５３】
図３に示す状態では、ブラックの一次転写部５０Ｋから二次転写部６０までの中間転写ベルト４０の軌道は、中間転写ベルト４０が伸張する前の通常状態と同じ軌道となり、中間転写ベルト４０に担持される画像が二次転写ニップ部６０ａに進入するタイミングと、当初設定されていた転写材の給紙タイミングをあわせることが可能となる。なお、この時、第１テンションローラー８１は、中間転写ベルト４０が伸張した状態から軌道の内側へ向けて移動して、通常状態となっている。
【００５４】
その結果、中間転写ベルト４０に担持される画像が二次転写ニップ部６０ａに進入するタイミングと、当初設定されていた転写材の給紙タイミングとのずれが解消して、転写材に対する画像の見当あわせが良好になる。
【００５５】
次に、中間転写ベルト４０が収縮した場合について説明する。
【００５６】
図４は、中間転写ベルト４０が収縮した状態での第２テンションローラー８２を示す図、図５は、カム輪８８が回転した状態での第２テンションローラー８２を示す図である。なお、図４中、破線は中間転写ベルト４０が収縮する前の状態、実線は中間転写ベルト４０が収縮した後の状態を示す。また、図５中、破線は中間転写ベルト４０が収縮する前の状態、二点鎖線は第２テンションローラー８２を制御する前の図４の実線と同じ状態、実線は第２テンションローラー８２を制御した後の状態を示す。
【００５７】
例えば、装置内の温度が低くなり、中間転写ベルト４０が収縮した場合、図４に示すように、第２テンションローラー８２は、軌道が内側に縮む中間転写ベルト４０に追随して移動する。また、図示しない第１テンションローラー８１も軌道が内側に縮む中間転写ベルト４０に追随して移動する。
【００５８】
中間転写ベルト４０が収縮し、第１テンションローラー８１及び第２テンションローラー８２の位置が、図４に示すように、中間転写ベルト４０の軌道の内側方向に移動すると、中間転写ベルト４０の回転軌道が変化して、中間転写ベルト４０全体のテンションが変化してしまう。したがって、各ローラーの巻き掛けテンションが変化する。特に、中間転写ベルト４０を駆動するベルト駆動ローラー４１の巻き掛けテンションが変化すると、中間転写ベルト４０の駆動が不安定となり、画像が伸縮したり、ずれてしまうおそれがある。
【００５９】
そこで、第１実施形態では、図５に示すように、カム輪８８を所定角度回転させて、第２テンションローラー８２を、中間転写ベルト４０の軌道のさらに内側方向に移動させる。
【００６０】
すなわち、図４に示す状態から、カム輪回転軸８８ａを中心にカム輪８８を回転させると、図５に示すように、カムレバー８７がカムレバー支持軸８７ａを中心に回転し、第３スプリング取付部８７ｂが移動する。そして、第３スプリング取付部８７ｂが移動することで、第２スプリング８６及び第２スプリング取付部８５ｂが移動する。第２スプリング取付部８５ｂが移動すると、第２テンションローラー支持レバー８５が第２レバー支持軸８５ａを中心に回転して、第２テンションローラー回転軸８２ａ及び第２テンションローラー８２が移動する。
【００６１】
その結果、各ローラーの巻き掛けテンションが一定となり、中間転写ベルト４０の駆動が安定し、良好な画像を形成することが可能となる。
【００６２】
また、図４の状態では、ブラックの一次転写部５０Ｋから二次転写部６０まで、具体的にはブラックの一次転写ニップから二次転写ニップ部６０ａまでの中間転写ベルト４０の軌道距離が縮んで移動時間が短くなってしまう。そして、移動時間が短くなると、中間転写ベルト４０に担持される画像が二次転写ニップ部６０ａに進入するタイミングと、当初設定されていた転写材の給紙タイミングとにずれが生じて、転写材に対する画像の見当あわせがずれてしまうおそれがある。
【００６３】
図５に示す状態では、ブラックの一次転写部５０Ｋから二次転写部６０までの中間転写ベルト４０の軌道は、中間転写ベルト４０が収縮する前の通常状態と同じ軌道となり、中間転写ベルト４０に担持される画像が二次転写ニップ部６０ａに進入するタイミングと、当初設定されていた転写材の給紙タイミングをあわせることが可能となる。なお、この時、第１テンションローラー８１は、中間転写ベルト４０が収縮した状態から軌道の外側へ向けて移動して、通常状態となっている。
【００６４】
その結果、中間転写ベルト４０に担持される画像が二次転写ニップ部６０ａに進入するタイミングと、当初設定されていた転写材の給紙タイミングとのずれが解消して、転写材に対する画像の見当あわせが良好になる。
【００６５】
次に、第２実施形態の画像形成装置１の構成を詳細に説明する。図６は本発明の第２実施形態に係る画像形成装置を構成する主要構成要素を示した図である。
【００６６】
第１実施形態が第２テンションローラー８２を移動させるためにテンションローラー位置調整部を配設した構造であったのに対し、第２実施形態の画像形成装置１は、図６に示すように、第１テンションローラー８１を移動させるためにテンションローラー位置調整部を配設した構造であり、その他の構成は、第１実施形態と同様である。
【００６７】
第１テンションローラー８１は、第１テンションローラー回転軸８１ａを中心に回転可能に設けられる。第１テンションローラー回転軸８１ａは、第１テンションローラー支持部材としての第１テンションローラー支持レバー８３に支持されている。第１テンションローラー支持レバー８３は、第１レバー支持軸８３ａによって、図示しないフレームやケース等に回転可能に支持されている。また、第１テンションローラー支持レバー８３は、第１レバー支持軸８３ａに対して第１テンションローラー回転軸８１ａとは反対側に第１スプリング取付部８３ｂを有する。第１スプリング取付部８３ｂには、第１スプリング８４の一方が取り付けられている。
【００６８】
カムレバー８７は、カムレバー支持軸８７ａによって、図示しないフレームやケース等に回転可能に支持されている。第１スプリング８４の他方はカムレバー８７の一方に設けられた第３スプリング取付部８７ｂに取り付けられている。カムレバー８７の他方、すなわち、カムレバー支持軸８７ａに対して第３スプリング取付部８７ｂの反対側は、カム輪当接部８７ｃとなっている。カム輪当接部８７ｃは、カム輪８８の外周に当接する。カム輪８８は、中心から偏心した位置にカム輪回転軸８８ａを有し、図示しないカム駆動部により回転可能となっている。
【００６９】
また、第２実施形態では、第２テンションローラー８２の位置を検知する検知部としてのテンションローラー位置センサー９０を有する。
【００７０】
なお、第１テンションローラー支持レバー８３、第１スプリング８４、カムレバー８７及びカム輪８８は、テンションローラー位置調整部を構成する。また、テンションローラー位置調整部としてカム輪８８で直接第１テンションローラー８１を調整してもよい。カム輪８８を用いることで、簡単で低コストにテンションローラー位置調整部を構成することが可能となる。
【００７１】
第２テンションローラー８２は、第２テンションローラー回転軸８２ａを中心に回転可能に設けられる。第２テンションローラー回転軸８２ａは、第２テンションローラー支持部材としての第２テンションローラー支持レバー８５に支持されている。第２テンションローラー支持レバー８５は、第２レバー支持軸８５ａによって、図示しないフレームやケース等に回転可能に支持されている。また、第２テンションローラー支持レバー８５は、第２レバー支持軸８５ａに対して第２テンションローラー回転軸８５ａとは反対側に第２スプリング取付部８５ｂを有する。第２スプリング取付部８５ｂには、第２スプリング８６の一方が取り付けられており、第２スプリング８６の他方は、図示しないフレームやケース等に支持されている。
【００７２】
次に、第１テンションローラー８１の移動について説明する。
【００７３】
まず、中間転写ベルト４０が伸張した場合について説明する。
【００７４】
図７は中間転写ベルト４０が伸張した状態での転写装置３を示す図、図８は第１テンションローラー８１を制御した状態での転写装置３を示す図である。なお、図７中、破線は中間転写ベルト４０が伸張する前の状態、実線は中間転写ベルト４０が伸張した後の状態を示す。また、図８中、破線は中間転写ベルト４０が伸張する前の状態、二点鎖線は第１テンションローラー８１を制御する前の図７の実線と同じ状態、実線は第１テンションローラー８１を制御した後の状態を示す。
【００７５】
例えば、装置内の温度が高くなり、中間転写ベルト４０が伸張した場合、図７に示すように、第１テンションローラー８１は、軌道が外側に延びる中間転写ベルト４０に追随して移動する。
【００７６】
中間転写ベルト４０が伸張し、第１テンションローラー８１及び第２テンションローラー８２の位置が、図７に示すように、中間転写ベルト４０の軌道の外側方向に移動すると、中間転写ベルト４０の回転軌道が変化して、中間転写ベルト４０全体のテンションが変化してしまう。したがって、各ローラーの巻き掛けテンションが変化する。特に、中間転写ベルト４０を駆動するベルト駆動ローラー４１の巻き掛けテンションが変化すると、中間転写ベルト４０の駆動が不安定となり、画像が伸縮したり、ずれてしまうおそれがあった。
【００７７】
そこで、第２実施形態では、図８に示すように、カム輪８８を所定角度回転させて、第１テンションローラー８１を、中間転写ベルト４０の軌道のさらに外側方向に移動させる。
【００７８】
すなわち、図７に示す状態から、カム輪回転軸８８ａを中心にカム輪８８を回転させると、図８に示すように、カムレバー８７がカムレバー支持軸８７ａを中心に回転し、第３スプリング取付部８７ｂが移動する。そして、第３スプリング取付部８７ｂが移動することで、第１スプリング８４及び第１スプリング取付部８３ｂが移動する。第１スプリング取付部８３ｂが移動すると、第１テンションローラー支持レバー８３が第１レバー支持軸８３ａを中心に回転して、第１テンションローラー回転軸８１ａ及び第１テンションローラー８１が移動する。
【００７９】
その結果、各ローラーの巻き掛けテンションが一定となり、中間転写ベルト４０の駆動が安定し、良好な画像を形成することが可能となる。
【００８０】
次に、中間転写ベルト４０が収縮した場合について説明する。
【００８１】
図９は中間転写ベルト４０が収縮した状態での第１テンションローラー８１を示す図、図１０は第１テンションローラー８１を制御した状態での第１テンションローラー８１を示す図である。なお、図９中、破線は中間転写ベルト４０が収縮する前の状態、実線は、中間転写ベルト４０が収縮した後の状態を示す。また、図１０中、破線は中間転写ベルト４０が収縮する前の状態、二点鎖線は第１テンションローラー８１を制御する前の図９の実線と同じ状態、実線は、第１テンションローラー８１を制御した後の状態を示す。
【００８２】
例えば、装置内の温度が低くなり、中間転写ベルト４０が収縮した場合、図９に示すように、第１テンションローラー８１は、軌道が内側に縮む中間転写ベルト４０に追随して移動する。
【００８３】
中間転写ベルト４０が収縮し、第１テンションローラー８１及び第２テンションローラー８２の位置が、図９に示すように、中間転写ベルト４０の軌道の内側方向に移動すると、中間転写ベルト４０の回転軌道が変化して、中間転写ベルト４０全体のテンションが変化してしまう。したがって、各ローラーの巻き掛けテンションが変化する。特に、中間転写ベルト４０を駆動するベルト駆動ローラー４１の巻き掛けテンションが変化すると、中間転写ベルト４０の駆動が不安定となり、画像が伸縮したり、ずれてしまうおそれがあった。
【００８４】
そこで、第２実施形態では、図１０に示すように、カム輪８８を所定角度回転させて、第１テンションローラー８１を、中間転写ベルト４０の軌道のさらに内側方向に移動させる。
【００８５】
すなわち、図９に示す状態から、カム輪回転軸８８ａを中心にカム輪８８を回転させると、図１０に示すように、カムレバー８７がカムレバー支持軸８７ａを中心に回転し、第３スプリング取付部８７ｂが移動する。そして、第３スプリング取付部８７ｂが移動することで、第１スプリング８４及び第１スプリング取付部８３ｂが移動する。第１スプリング取付部８３ｂが移動すると、第１テンションローラー支持レバー８３が第１レバー支持軸８３ａを中心に回転して、第１テンションローラー回転軸８１ａ及び第１テンションローラー８１が移動する。
【００８６】
その結果、各ローラーの巻き掛けテンションが一定となり、中間転写ベルト４０の駆動が安定し、良好な画像を形成することが可能となる。
【００８７】
図１１は、凹部及び把持部材を有しない二次転写ローラー６１を用いた他の実施形態の画像形成装置１を示す図である。このような凹部及び把持部材を有しない二次転写ローラー６１を用いた場合であっても、図１〜図１０に示した第１実施形態及び第２実施形態の画像形成装置１の構成を用いることが可能である。この場合、画像形成装置１は、二次転写ローラー６１と中間転写ベルト４０とを離間させる離間機構を有するとよい。
【００８８】
次に、テンションローラーの位置を調整する制御方法について説明する。
【００８９】
図１２は位置調整制御システムのブロック図である。
【００９０】
第１実施形態の第１テンションローラー８１又は第２実施形態の第２テンションローラー８２の位置調整制御では、テンションローラー位置センサー９０で検知された位置の情報に基づいて、第１実施形態の第１テンションローラー８１又は第２実施形態の第２テンションローラー８２が所定位置になるように制御部１００がカム輪８８の回転角度を制御する。
【００９１】
まず、テンションローラー位置センサー９０について説明する。
【００９２】
図１３はテンションローラー位置センサー９０を示す図、図１４はテンションローラーの位置に対するテンションローラー位置センサー９０の出力電圧を示す図である。
【００９３】
テンションローラー位置センサー９０は、フォトセンサー等であって、図１３に示すように、第１実施形態の第１テンションローラー支持レバー８３又は第２実施形態の第２テンションローラー支持レバー８５を検知するセンサー部９０ａを有する。第１テンションローラー支持レバー８３の端部８３ｃ又は第２テンションローラー支持レバー８５の端部８５ｃと目標位置Ａとの距離を検知する。図１４に示すように、テンションローラー位置センサー９０は、第１テンションローラー支持レバー８３の端部８３ｃ又は第２テンションローラー支持レバー８５の端部８５ｃが目標位置Ａとなった場合の目標電圧が設定されている。
【００９４】
次に、図１２に示した制御部１００による第１実施形態の第２テンションローラー８２又は第２実施形態の第１テンションローラー８１の位置調整制御のフローチャートについて説明する。
【００９５】
図１５は、第１実施形態における第２テンションローラー８２又は第２実施形態における第１テンションローラー８１の位置調整制御のフローチャートである。
【００９６】
まず、ステップ１で、カム輪回転軸８８ａを中心にカム輪８８を回転させて、カム輪８８を初期状態とする。初期状態は、あらかじめ所定の回転位置に設定することが可能である。例えば、設置場所の周囲の温度や湿度等に応じて設定するとよい（ＳＴ１）。
【００９７】
次に、ステップ２で、ベルト駆動ローラー４１と二次転写ローラー６１を回転駆動する（ＳＴ２）。
【００９８】
続いて、ステップ３で、二次転写ローラー６１の凹部６３を中間転写ベルト４０に対向させて、二次転写ローラー６１と中間転写ベルト４０とが離間した状態で二次転写ローラー６１の回転駆動を停止する（ＳＴ３）。
【００９９】
次に、ステップ４で、テンションローラー位置センサー９０が第１テンションローラー支持レバー８３の端部８３ｃ又は第２テンションローラー支持レバー８５の端部８５ｃを検知してテンションローラーの位置を検知する（ＳＴ４）。
【０１００】
次に、ステップ５で、ステップ４において検知した位置とあらかじめ設定した目標位置とが等しいか否かを判断する（ＳＴ５）。あらかじめ設定する目標位置は、画像形成装置１の設置する周囲の状態に応じて設定することが可能である。
【０１０１】
ステップ５において、検知した位置とあらかじめ設定した目標位置とが等しい場合、ステップ６で、ベルト駆動ローラー４１の回転を停止し（ＳＴ６）、第１実施形態における第２テンションローラー８２又は第２実施形態における第１テンションローラー８１の位置調整制御を終了する。
【０１０２】
ステップ５において、検知した位置とあらかじめ設定した目標位置とが異なる場合、ステップ７で、カム輪回転軸８８ａを中心にカム輪８８を回転させて、第１実施形態における第２テンションローラー８２又は第２実施形態における第１テンションローラー８１の位置を調整し（ＳＴ７）、ステップ４に戻る。
【０１０３】
次に実施例について説明する。
【０１０４】
本実施形態の画像形成装置１に、線膨張係数：6.0×10-5[m/℃]、プロセス速度：250[mm/s]の中間転写ベルト４０を用いて第１実施形態における第２テンションローラー８２の位置を調整する制御を実行した。
【０１０５】
温度２０℃を所定の標準温度と設定した場合、中間転写ベルト４０の周長は1800.00[mm]で目標位置とテンションローラー位置センサーの出力した位置との差は０[mm]であった。
【０１０６】
温度が４０℃になった場合、中間転写ベルト４０の周長は1802.16[mm] で目標位置とテンションローラー位置センサーの出力した位置との差は2.19[mm]であった。
【０１０７】
温度が２０℃から４０℃に変化した場合、カム輪８８を７０°回転させて、第２テンションローラー８２を3.14[mm]だけ外側に調整すると、目標位置とテンションローラー位置センサーの出力した位置との差が０[mm]となった。
【０１０８】
逆に、温度が４０℃を標準温度と設定して、４０℃から２０℃に変化した場合、カム輪８８を−７０°回転させて、第２テンションローラー８２を3.14[mm]だけ内側に調整すると、目標位置とテンションローラー位置センサーの出力した位置との差が０[mm]となる。
【０１０９】
このように、中間転写ベルト４０が伸縮した場合であっても、第１実施形態における第２テンションローラー８２又は第２実施形態における第１テンションローラー８１の位置を調整することで、各ローラーの巻き掛けテンションが一定となり、中間転写ベルト４０の駆動が安定し、良好な画像を形成することが可能となる。
【０１１０】
また、中間転写ベルト４０が伸縮した場合であっても、第１実施形態における第２テンションローラー８２の位置を調整することで、ブラックの一次転写部５０Ｋから二次転写部６０までの中間転写ベルト４０の軌道が、中間転写ベルト４０が伸縮する前の通常状態と同じ軌道となり、中間転写ベルト４０に担持される画像が二次転写ニップに進入するタイミングと、当初設定されていた転写材の給紙タイミングをあわせることができて、良好に画像を形成することが可能となる。
【０１１１】
なお、第１実施形態では第２テンションローラー８２の位置を調整し、第２実施形態では第１テンションローラー８１の位置を調整する構成としたが、第１テンションローラー８１及び第２テンションローラー８２の両方にテンションローラー支持レバー、スプリング、カムレバー及びカム輪等からなるテンションローラー位置調整部を設けて、第１テンションローラー８１及び第２テンションローラー８２の両方を制御できる構成としてもよい。
【０１１２】
以上、種々の実施形態について説明したが、本実施例はこれらの実施形態のみに限られるものではなく、それぞれの実施形態の構成を適宜組み合わせて構成した実施形態も本発明の範疇となるものである。
【符号の説明】
【０１１３】
１…画像形成装置、２Ｙ，２Ｍ，２Ｃ，２Ｋ…画像形成ステーション、３…転写装置、１０Ｙ，１０Ｍ，１０Ｃ，１０Ｋ…感光体（像担持体）、１１Ｙ，１１Ｍ，１１Ｃ，１１Ｋ…コロナ帯電器（帯電部）、１２Ｙ，１２Ｍ，１２Ｃ，１２Ｋ…露光ユニット（露光部）、１３Ｙ，１３Ｍ，１３Ｃ，１３Ｋ…第１感光体スクイーズローラー、１５Ｙ，１５Ｍ，１５Ｃ，１５Ｋ…第２感光体スクイーズローラー、１８Ｙ，１８Ｍ，１８Ｃ，１８Ｋ…感光体クリーニングブレード、２０Ｙ，２０Ｍ，２０Ｃ，２０Ｋ…現像ローラー（現像剤担持体）、３０Ｙ，３０Ｍ，３０Ｃ，３０Ｋ…現像装置（現像部）、３１Ｙ，３１Ｍ，３１Ｃ，３１Ｋ…現像剤容器、３２Ｙ，３２Ｍ，３２Ｃ，３２Ｋ…攪拌ローラー、３３Ｙ，３３Ｍ，３３Ｃ，３３Ｋ…供給ローラー、３４Ｙ，３４Ｍ，３４Ｃ，３４Ｋ…中間ローラー、４０…中間転写ベルト（像担持体ベルト）、４１…ベルト駆動ローラー（第１のローラー）、４２…張架ローラー、４３…バックアップローラー（第２のローラー）、４９…中間転写ベルトクリーニングブレード、５０…一次転写部、５１…一次転写ローラー、６０…二次転写部、６０ａ…二次転写ニップ部（転写ニップ部）、６１…二次転写ローラー（転写ローラー）、６３…凹部、６４…把持部材、６９…転写ローラークリーニングブレード（転写ローラークリーニング部材）、７１，７１’…ゲートローラー（転写材送出部）、８１…第１テンションローラー、８２…第２テンションローラー、８３…第１テンションローラー支持レバー、８４…第１スプリング、８５…第２テンションローラー支持レバー、８６…第２スプリング、８７…カムレバー、８８…カム輪、９０…テンションローラー位置センサー（検知部）
【図１】
2012133189.tif 000003
【図２】
2012133189.tif 000004
【図３】
2012133189.tif 000005
【図４】
2012133189.tif 000006
【図５】
2012133189.tif 000007
【図６】
2012133189.tif 000008
【図７】
2012133189.tif 000009
【図８】
2012133189.tif 000010
【図９】
2012133189.tif 000011
【図１０】
2012133189.tif 000012
【図１１】
2012133189.tif 000013
【図１２】
2012133189.tif 000014
【図１３】
2012133189.tif 000015
【図１４】
2012133189.tif 000016
【図１５】
2012133189.tif 000017